(57)【特許請求の範囲】
【請求項１】
共通の電源に共通の主スイッチを介して接続された複数の電源部と、それぞれが前記複数の電源部とそれぞれに対応する複数の負荷との間に設けられスイッチ信号によりオンオフが制御される複数のスイッチと、前記複数の電源部全てについて出力電圧が所定の電圧以上に立ち上がった時に前記スイッチ信号を前記複数のスイッチをオンさせる状態にするスイッチ制御回路と、前記主スイッチが遮断された時に前記複数のスイッチを前記スイッチ信号から遮断して前記複数のスイッチをオフの状態にする強制オフ回路とを含むことを特徴とする多出力型電源装置。
【請求項２】
共通の電源に共通の主スイッチを介して接続された複数の電源部と、それぞれが前記複数の電源部とそれぞれに対応する複数の負荷との間に設けられスイッチ信号によりオンオフが制御される複数のスイッチと、前記複数の電源部全てについて出力電圧が所定の電圧以上に立ち上がった時に前記スイッチ信号を前記複数のスイッチをオンさせる状態にし前記複数の電源部のいずれかについて出力電圧が所定の電圧以下に立ち下がった時に前記スイッチ信号を前記複数のスイッチをオフさせる状態にするスイッチ制御回路と、前記主スイッチが遮断された時に前記複数のスイッチを前記スイッチ信号から遮断して前記複数のスイッチをオフの状態にする強制オフ回路とを含むことを特徴とする多出力型電源装置。
【請求項３】
共通の電源に共通の主スイッチを介して接続された複数の電源部と、それぞれが前記複数の電源部とそれぞれに対応する複数の負荷との間に設けられスイッチ信号によりオンオフが制御される複数のスイッチと、それぞれが対応する前記複数の電源部の出力電圧が所定の電圧以上に立ち上がった時にタイミング信号を第一の状態にし対応する前記複数の電源部の出力信号が所定の電圧以下に立ち下がった時に前記タイミング信号を第二の状態にする複数の出力電圧監視回路と、前記複数の出力電圧監視回路の前記タイミング信号の全てが前記第一の状態になった時に前記スイッチ信号を前記複数のスイッチをオンさせる状態にし前記複数の出力電圧監視回路のタイミング信号のいずれかが前記第二の状態になった時に前記スイッチ信号を前記複数のスイッチをオフさせる状態にするスイッチ制御回路と、前記主スイッチが遮断された時に前記複数のスイッチを前記スイッチ信号から遮断して前記複数のスイッチをオフの状態にする強制オフ回路と、前記複数の出力電圧監視回路の前記タイミング信号のそれぞれが同一ではない状態が所定の時間以上続くときは、アラームを表示するアラーム回路とを含むことを特徴とする多出力型電源装置。
【請求項４】
共通の電源に共通の主スイッチを介して接続された複数の電源部と、それぞれが前記複数の電源部とそれぞれに対応する複数の負荷との間に設けられスイッチ信号によりオンオフが制御される複数のスイッチと、それぞれが対応する前記複数の電源部の出力電圧が所定の電圧以上に立ち上がった時にタイミング信号を第一の状態にし対応する前記複数の電源部の出力信号が所定の電圧以下に立ち下がった時に前記タイミング信号を第二の状態にする複数の出力電圧監視回路と、前記複数の出力電圧監視回路の前記タイミング信号の全てが前記第一の状態になった時に前記スイッチ信号を前記複数のスイッチをオンさせる状態にし前記複数の出力電圧監視回路のタイミング信号のいずれかが前記第二の状態になった時に前記スイッチ信号を前記複数のスイッチをオフさせる状態にするスイッチ制御回路と、前記主スイッチが遮断された時に前記複数のスイッチを前記スイッチ信号から遮断して前記複数のスイッチをオフの状態にする強制オフ回路と、前記タイミング信号のいずれかが前記第一の状態であるときに対応する前記電源部の出力電圧が瞬間的に低下しても当該タイミング信号に前記第一の状態をを保持させる保護回路とを含むことを特徴とする多出力型電源装置。
【請求項５】
前記強制オフ回路は、前記主スイッチと連動する補助スイッチにより制御されることを特徴とする請求項１〜４のいずれかに記載の多出力型電源装置。
【請求項６】
複数の電源部を共通の電源に共通の主スイッチを介して接続し、複数のスイッチそれぞれを前記複数の電源部とそれぞれに対応する複数の負荷との間に設け、前記複数のスイッチのオンオフを制御するスイッチ信号を前記複数の電源部全てについて出力電圧が所定の電圧以上に立ち上がった時に前記複数のスイッチをオンさせる状態にし、前記主スイッチが遮断された時に前記複数のスイッチを前記スイッチ信号から遮断して前記複数のスイッチをオフの状態にすることを特徴とする多出力型電源装置の制御方法。
【請求項７】
複数の電源部を共通の電源に共通の主スイッチを介して接続し、複数のスイッチそれぞれを前記複数の電源部とそれぞれに対応する複数の負荷との間に設け、前記複数のスイッチのオンオフを制御するスイッチ信号を前記複数の電源部全てについて出力電圧が所定の電圧以上に立ち上がった時に前記複数のスイッチをオンさせる状態にし前記複数の電源部のいずれかについて出力電圧が所定の電圧以下に立ち下がった時に前記複数のスイッチをオフさせる状態し、前記主スイッチが遮断された時に前記複数のスイッチを前記スイッチ信号から遮断して前記複数のスイッチをオフの状態にすることを特徴とする多出力型電源装置の制御方法。
【請求項８】
複数の電源部を共通の電源に共通の主スイッチを介して接続し、複数のスイッチそれぞれを前記複数の電源部とそれぞれに対応する複数の負荷との間に設け、前記複数の電源部それぞれについて出力電圧が所定の電圧以上に立ち上がった時に対応するタイミング信号を第一の状態にし所定の電圧以下に立ち下がった時に対応する前記タイミング信号を第二の状態にし、前記複数のスイッチのオンオフを制御するスイッチ信号を前記タイミング信号の全てが前記第一の状態になった時に前記複数のスイッチをオンさせる状態にし前記タイミング信号のいずれかが前記第二の状態になった時に前記複数のスイッチをオフし、前記主スイッチが遮断された時に前記複数のスイッチを前記スイッチ信号から遮断して前記複数のスイッチをオフの状態にし、前記タイミング信号のそれぞれが同一ではない状態が所定の時間以上続くときは、アラームを表示することを特徴とする多出力型電源装置の制御方法。
【請求項９】
複数の電源部を共通の電源に共通の主スイッチを介して接続し、複数のスイッチそれぞれを前記複数の電源部とそれぞれに対応する複数の負荷との間に設け、前記複数の電源部それぞれについて出力電圧が所定の電圧以上に立ち上がった時に対応するタイミング信号を第一の状態にし所定の電圧以下に立ち下がった時に対応する前記タイミング信号を第二の状態にし、前記複数のスイッチのオンオフを制御するスイッチ信号を前記タイミング信号の全てが前記第一の状態になった時に前記複数のスイッチをオンさせる状態にし前記タイミング信号のいずれかが前記第二の状態になった時に前記複数のスイッチをオフし、前記主スイッチが遮断された時に前記複数のスイッチを前記スイッチ信号から遮断して前記複数のスイッチをオフの状態にし、前記タイミング信号のいずれかが前記第一の状態であるときに対応する前記電源部の出力電圧が瞬間的に低下しても当該タイミング信号に前記第一の状態を保持させることを特徴とする多出力型電源装置の制御方法。
【発明の詳細な説明】
【０００１】
【発明の属する技術分野】
本発明は多出力型電源装置およびその制御方法に関し、特に同一のシステム、装置あるいはデバイスへ電圧の異なる複数の電源を供給するために用いられる多出力型電源装置およびその制御方法に関する。
【０００２】
【従来の技術】
従来、この種の共通の電源により駆動される複数の電源部を備えた多出力型電源装置では、各電源部のオン、オフは各々独立に制御されていた。
【０００３】
或は、メイン電源部とサブ電源部というように、複数の電源部に主従の関係をもたせて制御される構成のなっていた。
【０００４】
そのため、電源スイッチを投入してから、各々電源部の電圧が立上るまでの時間は、独立制御の場合は、各々の電源部によってバラツキ、それらの電源部に接続された負荷であるユニットまたは装置の電源立上りは同時ではなかった。
【０００５】
主従の関係にある電源部を有する電源装置においても、立上りについては時間的ズレがあり、ユニットまたは装置の電源立上りはズレていた。
【０００６】
そのため、前記の負荷であるユニットまたは装置が、バス等の信号線によって互いに接続されている場合には、先に立上ったユニットまたは装置から信号線を介して、まだ立上っていないユニットまたは装置に電流が流れ、素子の誤動作、破損等を起こす危険性がある。
【０００７】
また、ＬＳＩなど半導体デバイスについても同一デバイスで複数電源を用いるものがあり、この場合を前述したように印加電源の立上りにバラツキがあるとデバイスが破損する場合がある。
【０００８】
また、上述したように電源の立上りのバラツキのみでなく立下がりのバラツキあるいは複数の電源部の何れか１つが故障した場合についても同様な問題が発生する。
【０００９】
このような問題を解消するものとして、例えば特開平８−７９９７１号公報に記載された電源装置がある。
【００１０】
図３はこの従来例を示すブロック図である。以下、図３を参照してこの従来例を説明する。
【００１１】
図３において、３１と３２はそれぞれ独立した電源部であり、共通の外部電源により同時駆動される。
【００１２】
３３は電源部３２に接続されたタイマ回路である。タイマ回路３３には制御回路３４が接続されている。そして制御回路３４にはスイッチ手段３５が接続されている。スイッチ手段３５のスイッチ３５ａ、３５ｂは、それぞれ電源部３１、３２に接続されている。またスイッチ３５ａ、３５ｂは負荷３６、３７にそれぞれ接続されている。
【００１３】
上記の構成において、電源部３１、３２に外部電源からＡＣ入力が印加されて、電源部３１、３２の出力が立上りを始めると、電源部３２に接続されたタイマ回路３３に電圧が印加されてタイマー動作が開始される。
【００１４】
全ての電源が立上るのに充分な時間をタイマ回路３３にて計時後、ＯＮ信号を制御回路３４に送る。制御回路３４は、タイマ回路３３からのＯＮ信号にもとづいて、スイッチ手段３５のスイッチ３５ａ、３５ｂを駆動し、導通状態にさせる。スイッチ手段のスイッチ３５ａ、３５ｂが導通されることにより、電源部３１、３２と負荷３６、３７がそれぞれ同時に接続されて電力が供給される。一方、電源部３１、３２のＡＣ入力が遮断されると、電源３２の出力がオフとなり、タイマ回路３３がオフされ、制御回路４によりスイッチ手段３５のスイッチ３５ａ、３５ｂを開放し、電源部３１、３２と負荷３６、３７との間が遮断されるので、もし電源部３１の電力が残っていても遮断される。
【００１５】
このようにして給電開始時、あるいは停止時おいて各電源部の出力が常に同時に負荷側へ給電されるようになっている。
【００１６】
【発明が解決しようとする課題】
しかし、この従来例においては下記のような問題点がある。先ず各電源部の出力電圧の監視を電源部３２でのみで行っているので、電源部３１が故障で立上らない時に電源部３２側のみで給電を行ってしまい問題が解決しない。
【００１７】
また、給電停止時において電源部３１が先行して給電電圧が低下する場合は同時に給電を遮断できない。
【００１８】
また、動作中に電源部３１が故障した場合も他方の電源部３２の給電を停止することができず片方の電源部のみで給電を行ってしまうという問題がある。
【００１９】
更にタイマーの計時する時間が長いと電源起動時のタイミングが遅れ操作上問題となる場合がある。
【００２０】
【課題を解決するための手段】
本発明の請求項１に記載された発明の多出力型電源装置は、共通の電源に共通の主スイッチを介して接続された複数の電源部と、それぞれが前記複数の電源部とそれぞれに対応する複数の負荷との間に設けられスイッチ信号によりオンオフが制御される複数のスイッチと、前記複数の電源部全てについて出力電圧が所定の電圧以上に立ち上がった時に前記スイッチ信号を前記複数のスイッチをオンさせる状態にするスイッチ制御回路と、前記主スイッチが遮断された時に前記複数のスイッチを前記スイッチ信号から遮断して前記複数のスイッチをオフの状態にする強制オフ回路とを含むことを特徴とする。
【００２１】
本発明の請求項２に記載された発明の多出力型電源装置は、共通の電源に共通の主スイッチを介して接続された複数の電源部と、それぞれが前記複数の電源部とそれぞれに対応する複数の負荷との間に設けられスイッチ信号によりオンオフが制御される複数のスイッチと、前記複数の電源部全てについて出力電圧が所定の電圧以上に立ち上がった時に前記スイッチ信号を前記複数のスイッチをオンさせる状態にし前記複数の電源部のいずれかについて出力電圧が所定の電圧以下に立ち下がった時に前記スイッチ信号を前記複数のスイッチをオフさせる状態にするスイッチ制御回路と、前記主スイッチが遮断された時に前記複数のスイッチを前記スイッチ信号から遮断して前記複数のスイッチをオフの状態にする強制オフ回路とを含むことを特徴とする。
【００２２】
本発明の請求項３に記載された発明の多出力型電源装置は、共通の電源に共通の主スイッチを介して接続された複数の電源部と、それぞれが前記複数の電源部とそれぞれに対応する複数の負荷との間に設けられスイッチ信号によりオンオフが制御される複数のスイッチと、それぞれが対応する前記複数の電源部の出力電圧が所定の電圧以上に立ち上がった時にタイミング信号を第一の状態にし対応する前記複数の電源部の出力信号が所定の電圧以下に立ち下がった時に前記タイミング信号を第二の状態にする複数の出力電圧監視回路と、前記複数の出力電圧監視回路の前記タイミング信号の全てが前記第一の状態になった時に前記スイッチ信号を前記複数のスイッチをオンさせる状態にし前記複数の出力電圧監視回路のタイミング信号のいずれかが前記第二の状態になった時に前記スイッチ信号を前記複数のスイッチをオフさせる状態にするスイッチ制御回路と、前記主スイッチが遮断された時に前記複数のスイッチを前記スイッチ信号から遮断して前記複数のスイッチをオフの状態にする強制オフ回路と、前記複数の出力電圧監視回路の前記タイミング信号のそれぞれが同一ではない状態が所定の時間以上続くときは、アラームを表示するアラーム回路とを含むことを特徴とする。
【００２３】
本発明の請求項４に記載された発明の多出力型電源装置は、共通の電源に共通の主スイッチを介して接続された複数の電源部と、それぞれが前記複数の電源部とそれぞれに対応する複数の負荷との間に設けられスイッチ信号によりオンオフが制御される複数のスイッチと、それぞれが対応する前記複数の電源部の出力電圧が所定の電圧以上に立ち上がった時にタイミング信号を第一の状態にし対応する前記複数の電源部の出力信号が所定の電圧以下に立ち下がった時に前記タイミング信号を第二の状態にする複数の出力電圧監視回路と、前記複数の出力電圧監視回路の前記タイミング信号の全てが前記第一の状態になった時に前記スイッチ信号を前記複数のスイッチをオンさせる状態にし前記複数の出力電圧監視回路のタイミング信号のいずれかが前記第二の状態になった時に前記スイッチ信号を前記複数のスイッチをオフさせる状態にするスイッチ制御回路と、前記主スイッチが遮断された時に前記複数のスイッチを前記スイッチ信号から遮断して前記複数のスイッチをオフの状態にする強制オフ回路と、前記タイミング信号のいずれかが前記第一の状態であるときに対応する前記電源部の出力電圧が瞬間的に低下しても当該タイミング信号に前記第一の状態をを保持させる保護回路とを含むことを特徴とする。
【００２４】
本発明の請求項５に記載された発明は、請求項１〜４のいずれかに記載された多出力型電源装置であって、前記強制オフ回路は、前記主スイッチと連動する補助スイッチにより制御されることを特徴とする。
【００２５】
本発明の請求項６に記載された発明の多出力型電源装置の制御方法は、複数の電源部を共通の電源に共通の主スイッチを介して接続し、複数のスイッチそれぞれを前記複数の電源部とそれぞれに対応する複数の負荷との間に設け、前記複数のスイッチのオンオフを制御するスイッチ信号を前記複数の電源部全てについて出力電圧が所定の電圧以上に立ち上がった時に前記複数のスイッチをオンさせる状態にし、前記主スイッチが遮断された時に前記複数のスイッチを前記スイッチ信号から遮断して前記複数のスイッチをオフの状態にすることを特徴とする。
本発明の請求項７に記載された発明の多出力型電源装置の制御方法は、複数の電源部を共通の電源に共通の主スイッチを介して接続し、複数のスイッチそれぞれを前記複数の電源部とそれぞれに対応する複数の負荷との間に設け、前記複数のスイッチのオンオフを制御するスイッチ信号を前記複数の電源部全てについて出力電圧が所定の電圧以上に立ち上がった時に前記複数のスイッチをオンさせる状態にし前記複数の電源部のいずれかについて出力電圧が所定の電圧以下に立ち下がった時に前記複数のスイッチをオフさせる状態し、前記主スイッチが遮断された時に前記複数のスイッチを前記スイッチ信号から遮断して前記複数のスイッチをオフの状態にすることを特徴とする。
【００２６】
本発明の請求項８に記載された発明の多出力型電源装置の制御方法は、複数の電源部を共通の電源に共通の主スイッチを介して接続し、複数のスイッチそれぞれを前記複数の電源部とそれぞれに対応する複数の負荷との間に設け、前記複数の電源部それぞれについて出力電圧が所定の電圧以上に立ち上がった時に対応するタイミング信号を第一の状態にし所定の電圧以下に立ち下がった時に対応する前記タイミング信号を第二の状態にし、前記複数のスイッチのオンオフを制御するスイッチ信号を前記タイミング信号の全てが前記第一の状態になった時に前記複数のスイッチをオンさせる状態にし前記タイミング信号のいずれかが前記第二の状態になった時に前記複数のスイッチをオフし、前記主スイッチが遮断された時に前記複数のスイッチを前記スイッチ信号から遮断して前記複数のスイッチをオフの状態にし、前記タイミング信号のそれぞれが同一ではない状態が所定の時間以上続くときは、アラームを表示することを特徴とする。
本発明の請求項９に記載された発明の多出力型電源装置の制御方法は、複数の電源部を共通の電源に共通の主スイッチを介して接続し、複数のスイッチそれぞれを前記複数の電源部とそれぞれに対応する複数の負荷との間に設け、前記複数の電源部それぞれについて出力電圧が所定の電圧以上に立ち上がった時に対応するタイミング信号を第一の状態にし所定の電圧以下に立ち下がった時に対応する前記タイミング信号を第二の状態にし、前記複数のスイッチのオンオフを制御するスイッチ信号を前記タイミング信号の全てが前記第一の状態になった時に前記複数のスイッチをオンさせる状態にし前記タイミング信号のいずれかが前記第二の状態になった時に前記複数のスイッチをオフし、前記主スイッチが遮断された時に前記複数のスイッチを前記スイッチ信号から遮断して前記複数のスイッチをオフの状態にし、前記タイミング信号のいずれかが前記第一の状態であるときに対応する前記電源部の出力電圧が瞬間的に低下しても当該タイミング信号に前記第一の状態を保持させることを特徴とする。
【００２７】
【発明の実施の形態】
次に発明の実施の形態について図面を参照して説明する。図１は本発明の実施の形態例を示すブロック図、図２は図１の動作を説明する（ａ）は正常時（ｂ）は故障時のタイミングチャートである。
【００２８】
先ず構成について図１を参照して説明する。本実施例は電源部が２つの場合を示す。共通の電源より主スイッチ１を介して駆動される２つの電源部３ａ、３ｂと、各電源部３の負荷側の給電路へそれぞれ挿入されスイッチ信号１０３が論理値１の時は給電路を接続あるいは論理値０の時は遮断するような動作する２つのスイッチを有するスイッチ部４と、電源部３の出力電圧と第１の基準電圧とを比較し給電開始時に出力電圧が第１の基準電圧を上廻った時点で論理値１、そして給電停止時に電源部３の出力電圧と第１の基準電圧より低い第２の基準電圧とを比較し出力電圧が第２の基準電圧を下廻った時点で論理値１が０に変化するタイミング信号１０５を出力する各電源部３に対応して設けられた２つの出力電圧監視回路５ａ、５ｂと、
出力電圧監視回路５ａ、５ｂの出力するタイミング信号１０５が瞬間的に論理値が１から０に変化した時、即ち電源部３の出力電圧が瞬間的に低下した時、この瞬間的な変化を吸収して論理値１を保持するための保護回路６ａ、６ｂと、この保護回路６を通した各タイミング信号１０５の論理積をとりスイッチ信号１０３として出力するＡＮＤ回路７と、
主スイッチ１と連動し主スイッチ１がオフの時に論理値０の状態を示すオフ信号１０４を出力する補助スイッチ２と、オフ信号１０４でスイッチ信号１０３を強制的に論理値０に固定する強制オフ回路９と、
各出力電圧監視回路５のタイミング信号１０５ａ、１０５ｂの論理値が所定の時間幅以上で同一値を示さない時は何れかの電源部３が故障したと判断し、アラーム表示を行うアラーム回路８と、以上説明した電源部３を除く各回路へ給電するための補助電源部１０とを備えて構成している。
【００２９】
次に動作について図１および図２を参照して説明する。この実施例は電源部３にＤＣ−４８Ｖの電源からＤＣ−５、−１２Ｖなどを出力するＤＣ−ＤＣコンバータを用いた例である。
【００３０】
先ず図２（ａ）を参照して電源部３が正常動作の時の動作を説明する。給電開始に当り先ず主スイッチ１をオンする。電源電圧１０４が図示のように立上り各電源部３に印加され各電源部３が起動し、その出力電圧が立上り始める。この出力電圧は出力電圧監視回路５ａ、５ｂに入力される。即ち監視電圧１０１ａ、１０１ｂであり、図示のように時間と共に立上り定格電圧の約９０％に達した時（第１の基準電圧を定格電圧の９０％に設定した場合）にタイミング信号１０５の論理値が１となる。
【００３１】
この場合、監視電圧１０１ａの方が１０１ｂに比べて立上り時間が短いので、最初にタイミング信号１０５ａが論理値１となり、続いてタイミング信号１０５ｂが論理値１となる。タイミング信号１０５ａ、１０５ｂは保護回路６を介してＡＮＤ回路７に入力され、ここで論理積がとられ論理値１のスイッチ信号１０３となる。図示のようにタイミング信号１０５ｂの論理値が１となるのを待ってスイッチ信号１０３の論理値が１となる。これによりスイッチ部４の各スイッチが同時にオンして負荷への給電路を接続し、出力電圧１０２ａ、１０２ｂを同時に負荷側へ供給する。
【００３２】
この給電中に図示のように電源の瞬断あるいは電源ノイズなどが混入してもタイミング信号１０５は保護回路７を通しているので、瞬断的な論理値の反転を抑えられ、スイッチ信号１０３は変化しない。従ってスイッチ４も動作することがなく安定化される。
【００３３】
給電停止時において、主スイッチ１をオフすると、電源部３は動作を停止し出力電圧は立下がり始める。即ち図示のように監視電圧１０１ａ、１０１ｂは立下り、この場合監視電圧１０１ａの方が早く立下る場合を示している。
【００３４】
一方、主スイッチ１をオフとすると連動する補助スイッチ２から論理値０のオフ信号１０４が出力され、強制オフ回路９でスイッチ信号１０３を強制的に論理値を０とするので、スイッチ部４の各スイッチは同時にオフとなり出力電圧１０２ａ、１０２ｂは同時に遮断され給電は停止する。
【００３５】
尚、給電停止時における出力電圧の同時停止を確実にするために上述したように補助スイッチ２と強制オフ回路９とを用いている。補助スイッチ２を設けない場合は、保護回路６により同時停止のタイミングが若干遅れ完全な同時停止とならない場合がある。また保護回路６は電源品質が良ければ必ずしも用いる必要はなく、この場合は略同時に給電が停止される。
【００３６】
尚、補助スイッチ２を用いない時の給電停止の動作は、立下りの早い監視電圧１０１ｂが定格電圧の約７０％低下した時（第２の基準電圧を定格電圧の７０％に設定した場合）にタイミング信号１０５ａの論理値が０に変わるので、スイッチ信号１０３も論理値０となりスイッチ部４がオフとなり同時に給電が停止する。
【００３７】
次に図２（ｂ）を参照し、給電中に電源部３ａが故障した場合の動作について説明する。給電開始時の立上げ動作は図２（ａ）の場合と同様である。給電中に電源部３ａが故障しその出力電圧が立下がり始めると、図示のように監視電圧１０１ａは立下り定格電圧の約７０％まで低下した時にタイミング信号１０５ａの論理値が０となるので、スイッチ信号１０３はこの時点で論理値が０となりスイッチ部４がオフとなり給電路を開くので、出力電圧１０２ａ、１０２ｂは図示のように同時に遮断され給電が停止する。
【００３８】
また、給電開始前に電源部３ａが故障している場合は、故障した電源部３ａの監視電圧１０１が立上らないのでスイッチ信号１０３の論理値は０のままでスイッチ部４はオフの状態を続けて給電は行われない。
【００３９】
アラーム回路８は、両方のタイミング信号１０５を監視しており、両電源部３が正常状態であれは、立上り、立下りの時間帯を除き常に同じ論理値を示すので、この論理値が所定の時間以上継続して異なった場合は何れかの電源部が故障したと判断してアラームを発生する。
【００４０】
尚、補助電源部１０は、電源部３を除く各回路へ給電するための補助電源で電源を主スイッチ１を介さないで入力している。
【００４１】
【発明の効果】
以上説明したように本発明の多出力型電源装置およびその制御方法は、給電開始時において各電源部の出力電圧の立上りの監視と、全部の出力電圧が正常に立上ったことを確認し、負荷側に各出力電圧を同時に給電し、また、給電停止時においても同様に同時に給電を停止しているので、電源電圧印加時の各電圧のタイミングのバラツキあるいは故障による出力電圧の欠落などの原因で負荷側で発生する不具合を確実に防止あるいは予防することができるという効果がある。
【００４２】
更に動作中に何れかの電源部が故障した場合も他方の電源部の給電を直ちに停止することができるので、上述した同様な効果がある。また、この故障時にアラームを発生するので保守がやり易いという効果がある。
【図面の簡単な説明】
【図１】本発明の実施の形態例を示すブロック図である。
【図２】図１の動作を説明するフローチャートで、（ａ）は電源部が正常の場合、（ｂ）は電源部が故障した場合のものである。
【図３】従来例を示す構成図である。
【符号の説明】
１    主スイッチ
２    補助スイッチ
３ａ、３ｂ    電源部
４    スイッチ部
５ａ、５ｂ    出力電圧監視回路
６ａ、６ｂ    保護回路
７    ＡＮＤ回路
８    アラーム回路
９    強制オフ回路
１０    補助電源部
【図１】
0003601479.tif 000002
【図２】
0003601479.tif 000003
【図３】
0003601479.tif 000004